(57)【要約】【課題】  養殖真珠の挿核施術の作業性を向上せしめて、母貝のへい死率を低減すると共に真珠の品質を向上せしめ得る、新規な構造の二枚貝用開口器を提供すること。【解決手段】  可撓性を有する所定長さのリード線１５の一方の端部にＬＥＤ光源１６が取り付けられていると共に、該リード線１５の他方の端部には所定の電源２０に対して着脱可能とされた通電端子１８が設けられており、該リード線１５への該ＬＥＤ光源１６の取付部位においては通電線４２ａ，４２ｂの接続部分が防水構造とされていると共に、該ＬＥＤ光源１６を開口器本体１２に対して取り外し可能に固定するＬＥＤ取付手段５８ａ，６０、６２を設けた。【選択図】  図１
0003116529.tif 000002
【実用新案登録請求の範囲】
【請求項１】
一方の端部に平板状の作用部が形成されると共に他方の端部に把持部が形成された構造部材の一対を各中間部分で支軸により連結して開口器本体を構成し、該開口器本体における両把持部を握ることで重ね合わされた両作用部が離隔して開口せしめられるようにすると共に、かかる作用部を開口状態に保持せしめ得る保持手段を設けた二枚貝用開口器であって、
可撓性を有する所定長さのリード線の一方の端部にはＬＥＤ光源が取り付けられていると共に、該リード線の他方の端部には所定の電源に対して着脱可能とされた通電端子が設けられており、該リード線への該ＬＥＤ光源の取付部位においては通電線の接続部分が防水構造とされていると共に、該ＬＥＤ光源を前記開口器本体に対して取り外し可能に固定するＬＥＤ取付手段を設けたことを特徴とする二枚貝用開口器。
【請求項２】
前記開口器本体に対して取付ブラケットが設けられていると共に、該取付ブラケットに対して前記ＬＥＤ光源が着脱可能とされることによって、前記ＬＥＤ取付手段が構成されている請求項１に記載の二枚貝用開口器。
【請求項３】
前記ＬＥＤ取付手段により、前記ＬＥＤ光源が前記支軸に対して取り付けられている請求項１又は２に記載の二枚貝用開口器。
【請求項４】
前記ＬＥＤ取付手段により、前記ＬＥＤ光源が、前記一対の構造部材の対向面間に挟まれる位置に取り付けられている請求項１乃至３の何れか一項に記載の二枚貝用開口器。
【請求項５】
前記一対の構造部材の両方の前記作用部側の対向面に設けられた凹所によって収容空所が形成されると共に、前記ＬＥＤ取付手段により、前記ＬＥＤ光源が、該収容空所内に取り付けられている請求項１乃至４の何れか一項に記載の二枚貝用開口器。
【請求項６】
前記凹所の一方に、前記ＬＥＤ光源を位置決め保持するホルダーを設けることによって前記ＬＥＤ取付手段を構成した請求項５に記載の二枚貝用開口器。
【請求項７】
前記ＬＥＤ光源として指向性を有するものを採用して、該ＬＥＤ光源を前記一対の構造部材における前記作用部側の対向面間に挟まれる位置に取り付けると共に、該ＬＥＤ光源の光軸の方向を前記開口器本体の側方に向かって延び出させた請求項１乃至６の何れか一項に記載の二枚貝用開口器。
【請求項８】
前記ＬＥＤ光源として指向性を有するものを採用すると共に、前記ＬＥＤ取付手段において、該ＬＥＤ光源の光軸の方向を調節する調節手段を設けた請求項１乃至７の何れか一項に記載の二枚貝用開口器。
【請求項９】
前記開口器本体において、前記リード線が、前記支軸から一方の前記構造部材の前記把持部に沿って配設されており、該把持部の先端部から該開口器本体の外方に向かって延び出している請求項１乃至８の何れか一項に記載の二枚貝用開口器。
【請求項１０】
前記リード線には、前記把持部の先端部から延び出した部分において屈曲を緩衝的に制限する可撓性の保護カバーが装着されている請求項９に記載の二枚貝用開口器。
【請求項１１】
前記通電端子が接続される電源として、送電線に接続される変圧器と整流器を備え、該通電端子が接続されることによって前記ＬＥＤ光源に直流電力を給電する給電端子が設けられている給電ユニットを有する請求項１乃至１０の何れか一項に記載の二枚貝用開口器。
【請求項１２】
前記通電端子が接続される電源として、電池を備え、該通電端子が接続されることによって前記ＬＥＤ光源に直流電力を給電する給電端子が設けられている電池ユニットを有する請求項１乃至１１の何れか一項に記載の二枚貝用開口器。
【請求項１３】
前記リード線の一方の端部に対する前記ＬＥＤ光源の取付部位における通電線の接続部分が、電気絶縁性のシール材で被覆されることによって、該通電線の全体が該シール材で覆われている請求項１乃至１２の何れか一項に記載の二枚貝用開口器。
【請求項１４】
前記リード線の一方の端部に対する前記ＬＥＤ光源の取付部位における通電線の接続部分が、電気絶縁性の熱収縮チューブで被覆されることによって、該通電線の全体が該熱収縮チューブで覆われている請求項１乃至１３の何れか一項に記載の二枚貝用開口器。
【請求項１５】
前記リード線の他方の端部には、その通電線に対して通電端子金具が接続されていると共に、該通電線と該通電端子金具との接続部位が樹脂材料でくるんで成形されている請求項１乃至１４の何れか一項に記載の二枚貝用開口器。
【請求項１６】
二枚貝用開口器に取り付けられる開口器用ＬＥＤ照明装置であって、
可撓性を有する所定長さのリード線の一方の端部にはＬＥＤ光源が取り付けられていると共に、該リード線の他方の端部には所定の電源に対して着脱可能とされた通電端子が設けられており、該リード線への該ＬＥＤ光源の取付部位においては通電線の接続部分が防水構造とされていることを特徴とする開口器用ＬＥＤ照明装置。
【請求項１７】
請求項１乃至１５の何れか一項に記載の二枚貝用開口器に取り付けられた構成部品であり、前記リード線に対してその一方の端部に前記ＬＥＤ光源が取り付けられると共に他方の端部に前記通電端子が設けられてなる基本構造をもって形成されて、前記開口器本体に対して着脱可能とされた開口器用ＬＥＤ照明装置。
【考案の詳細な説明】
【技術分野】
【０００１】
本考案は、養殖真珠の挿核施術の際などに用いられる二枚貝用開口器に関するものである。
【背景技術】
【０００２】
従来から、養殖真珠を得るために、アコヤ貝などの母貝に真珠の核を埋め込む核入れ、と呼ばれる挿核施術が行なわれている。このような挿核施術は、対象となる母貝や施術者の好み等によって多少の差異はあるが、概略的には先ず、淡水二枚貝の貝殻を球形に削って形成した核と、ピースと呼ばれる母貝と同種の貝から取り出す外套膜切片を用意する。そして、母貝を開口器を用いて開口した状態で貝台に設置して、母貝の生殖巣をメスで切開した後に、ピースと核を埋め込むことによって行なわれている。
【０００３】
このような挿核施術は、母貝の体内に異物を埋め込む外科手術であることから、母貝に大きな負担を与え、状態の良くない母貝を用いたり、他の部位を傷つけてしまった場合には、母貝をへい死させてしまうおそれもある。また、挿核施術の良し悪しは真珠のキズや色目等の品質にも大きく影響する。それ故、挿核施術は、正確且つ速やかに行なわれる必要がある。そして、このように正確且つ速やかな挿核施術を行うためには、挿核施術の際に、施術者が施術部位を明確に視認出来ることが重要である。
【０００４】
ところが、母貝への負担を抑える趣旨から、母貝を大きく開口させることは避けるべきである。加えて、貝の殻は殆ど透光性がないことから、貝の内部は非常に暗い。勿論、挿核施術の場所に照明も用いられているが、従来の挿核施術において母貝の内部を照明する方法としては、単に作業場の室内照明を用いるか、せいぜい貝台の近くに電気スタンドを配置して、上方、斜方、後方などから照明するのみであった。このような照明方法では、光源と母貝との間に施術者の体、特に手や、施術器具などが位置することによって、母貝の施術部位に影を落としてしまい、施術部位を有効に照明することは出来なかった。
【０００５】
それ故、施術部位を充分に明瞭に見ることが出来ずに挿核施術の作業が難しく、作業者の疲れも大きかった。また、近年では施術者の高年齢化が進んでおり、施術部位が暗く見づらいという問題がより顕著なものとなっていた。加えて、施術部位の肉の状態や、卵の状態等を視認し難いことから、母貝の良し悪しを判断することが困難であり、高品質な養殖真珠を効率的に生産することが難しいという問題もあったのである。
【０００６】
そこで、例えば特許文献１（実開平２−６０５６５号公報）には、開口器に光ファイバの束であるバンドルファイバを取り付けると共に、かかるバンドルファイバの先端部を開口器の開口部に位置せしめて、光源装置からの光束をバンドルファイバの先端から放射せしめることによって、母貝の内部を照明するようにした開口器が提案されている。
【０００７】
しかし、特許文献１に記載の如き開口器においては、可撓性に乏しい光ファイバを束ねたバンドルファイバは、より可撓性に乏しいものであることから、開口器を用いる際にはバンドルファイバを折損しないように注意して取り扱う必要があった。特に挿核施術においては、開口器を利き手で把持して、利き手の側から開口器を母貝に挿し込んで母貝を開口せしめた後には、利き手を挿核器具に持ち替えて同じく利き手の側から挿核するために、開口器を差し込んだ状態で母貝の表裏を反転せしめて母貝の向きを変えることが一般的である。ここにおいて、特許文献１に記載の如き開口器では、折損し易いバンドルファイバが備えられていることから、かかる反転を容易に行なうことが出来ず、作業性を低下せしめてしまうという問題があった。
【０００８】
また、母貝はもともと水を多く含んでいるものであるし、挿核施術の作業場も水に濡れていることが多い。更に、開口器は殺菌、消毒、洗浄が繰り返し行なわれる。このように、二枚貝用開口器は水と接触する機会が多いものであり、そのような開口器に対して、光源装置等の電気部品を取り付けることが故障の問題を生じ易く好ましくないことは明らかである。また、バンドルファイバや光源装置が一体的に取り付けられることによって、洗浄等を行なう際の取り扱いが面倒になるという新たな問題をも生じていた。
【０００９】
このように、特許文献１に記載の如き開口器においては、未だ作業性を向上せしめるには不十分であり、更なる改良が必要とされていたのである。
【００１０】
【特許文献１】実開平２−６０５６５号公報
【考案の開示】
【考案が解決しようとする課題】
【００１１】
ここにおいて、本考案は上述の如き事情を背景として為されたものであって、その解決課題とするところは、養殖真珠の挿核施術の作業性を向上せしめて、母貝のへい死率を低減すると共に真珠の品質を向上せしめ得る、新規な構造の二枚貝用開口器を提供することにある。
【課題を解決するための手段】
【００１２】
以下、前述の如き課題を解決するために為された本考案の態様を記載する。なお、以下に記載の各態様において採用される構成要素は、可能な限り任意の組み合わせで採用可能である。また、本考案の態様乃至は技術的特徴は、以下に記載のものに限定されることなく、明細書全体および図面の記載、或いはそれらの記載から当業者が把握することの出来る発明思想に基づいて認識されるものであることが理解されるべきである。
【００１３】
（二枚貝用開口器に関する本考案の態様１）
すなわち、二枚貝用開口器に関する本考案の態様１は、一方の端部に平板状の作用部が形成されると共に他方の端部に把持部が形成された構造部材の一対を各中間部分で支軸により連結して開口器本体を構成し、該開口器本体における両把持部を握ることで重ね合わされた両作用部が離隔して開口せしめられるようにすると共に、かかる作用部を開口状態に保持せしめ得る保持手段を設けた二枚貝用開口器であって、可撓性を有する所定長さのリード線の一方の端部にはＬＥＤ光源が取り付けられていると共に、該リード線の他方の端部には所定の電源に対して着脱可能とされた通電端子が設けられており、該リード線への該ＬＥＤ光源の取付部位においては通電線の接続部分が防水構造とされていると共に、該ＬＥＤ光源を前記開口器本体に対して取り外し可能に固定するＬＥＤ取付手段を設けたことを、特徴とする。
【００１４】
本態様に従う構造とされた二枚貝用開口器においては、ＬＥＤ光源を設けたことによって、母貝の施術部位を良好に照明することが出来る。即ち、開口器本体に光源が設けられることによって、施術部位に近い位置から照明することが可能になると共に、光源と施術部位の間に施術者の手が介在するようなことを回避することが出来る。これにより、施術者の手が施術部位に影を落とすことも防止されて、施術部位を明るく照らすことが出来るのである。
【００１５】
そして、ＬＥＤ光源を用いたことによって、全体サイズを小さく抑えて、従来から用いられていた開口器と略同じサイズで照明付きの開口器を実現することが出来る。これにより、施術者に違和感を与えることもなく、従来どおりの感覚で使用することが出来る。また、ＬＥＤを用いたことによって、安価に実現することも可能となる。
【００１６】
ところで、ＬＥＤ光源に電力を供給するための電源としては、開口器本体に電池を装備させて、ＬＥＤ光源に直接に電力を供給することも考えられるが、このような構造では、開口器の全体のサイズの大型化を招き、母貝の貝殻の間に差し込む開口器としての使用性を損なうおそれもあるし、何よりも、水に触れる機会の多い開口器本体に電源を装備させることは、その取扱いが面倒になるばかりでなく、絶縁性の確保等のために構造も複雑となることから、好ましいことではない。
【００１７】
ここにおいて、本態様に従う構造とされた二枚貝用開口器においては、ＬＥＤ光源と電源との間が、所定寸法を有するリード線によって接続されていると共に、ＬＥＤ光源とリード線との接続部位が防水構造とされている。これにより、開口器本体と電源を別部材として構成することによって開口器の寸法を小さくすることが出来ると共に、開口器本体と電源との間を所定距離に亘って離隔せしめることによって、開口器に付着した水が電源にまで伝って電源の故障を招くようなことも回避することが出来る。また、このような防水構造を採用したことによって、殺菌、消毒、洗浄などを行なう度にＬＥＤ光源やリード線を着脱することも不要とされて、ＬＥＤ光源やリード線を取り付けたままの状態で二枚貝用開口器の全体を洗浄すること等も可能となる。
【００１８】
そして、特に本態様における二枚貝用開口器においては、リード線として可撓性を有するリード線が用いられている。これにより、可撓性に乏しい光ファイバのように折損を気にすることも無く、容易に取り扱うことが出来る。更に、ＬＥＤ光源は電力消費量が少ないことから、電力を供給するリード線としてより細いリード線を用いることが可能となって、より高い可撓性を得ることが可能とされているのである。
【００１９】
さらに、本態様に従う構造とされた二枚貝用開口器においては、リード線の通電端子が電源に対して着脱可能とされている。これにより、洗浄などの際には二枚貝用開口器を電源から取り外して、より容易に取り扱うことが出来る。
【００２０】
加えて、ＬＥＤ光源が開口器本体から取り外し可能とされていることによって、開口器本体のみ、或いはＬＥＤ光源のみを洗浄したりすることも可能とされている。また、ＬＥＤ光源が開口器本体から取り外し可能とされることにより、例えばＬＥＤ光源が故障したような場合には、開口器本体ごと交換することなく、ＬＥＤ光源のみを交換することが可能とされていることから、安価に交換することも出来るのである。
【００２１】
（二枚貝用開口器に関する本考案の態様２）
二枚貝用開口器に関する本考案の態様２は、前記態様１に係る二枚貝用開口器において、前記開口器本体に対して取付ブラケットが設けられていると共に、該取付ブラケットに対して前記ＬＥＤ光源が着脱可能とされることによって、前記ＬＥＤ取付手段が構成されていることを、特徴とする。
【００２２】
本態様に従う構造とされた二枚貝用開口器においては、ＬＥＤ光源を開口器本体に対して容易に着脱することが出来る。このような取付ブラケットとしては例えば、リング状の部材を開口器本体に設けて、かかるリング状部にＬＥＤ光源を挿し通すなどしてＬＥＤ光源を取り付けたり、ＬＥＤ光源を把持するクリップなどを開口器本体に設けるなどしても良い。なお、このような取付ブラケットは、開口器本体と別体として形成しても良いし、開口器本体と一体的に形成しても良い。また、かかる取付ブラケットは、必ずしもＬＥＤ光源自体を直接に把持せずとも、例えばリード線のＬＥＤ光源の接続部位を把持する等しても良い。
【００２３】
（二枚貝用開口器に関する本考案の態様３）
二枚貝用開口器に関する本考案の態様３は、前記態様１又は２に係る二枚貝用開口器において、前記ＬＥＤ取付手段により、前記ＬＥＤ光源が前記支軸に対して取り付けられていることを、特徴とする。
【００２４】
本態様に従う構造とされた二枚貝用開口器においては、開口器を開口せしめる際に回動変位せしめられる構造部材にＬＥＤ光源を取り付けた場合に比して、ＬＥＤ光源の位置変化を小さくすることが出来て、施術部位を安定して照明することが出来る。また、構造部材に取り付けた場合に比して、構造部材による影の影響を軽減することも出来る。
【００２５】
（二枚貝用開口器に関する本考案の態様４）
二枚貝用開口器に関する本考案の態様４は、前記態様１乃至３の何れか一つに係る二枚貝用開口器において、前記ＬＥＤ取付手段により、前記ＬＥＤ光源が、前記一対の構造部材の対向面間に挟まれる位置に取り付けられていることを、特徴とする。
【００２６】
本態様に従う構造とされた二枚貝用開口器においては、一対の構造部材の対向面の間から光線を照射することが出来ることから、母貝の内部を作用部等で阻害されることなく有効に照明することが出来る。また、ＬＥＤ光源が開口器本体から外方へ大きく突出するようなことも防ぐことが出来て、手や他の物への干渉によってＬＥＤが損傷したり取付方向が変化したりするなどの不具合も回避することが可能となる。
【００２７】
（二枚貝用開口器に関する本考案の態様５）
二枚貝用開口器に関する本考案の態様５は、前記態様１乃至４の何れか一つに係る二枚貝用開口器において、前記一対の構造部材の両方の前記作用部側の対向面に設けられた凹所によって収容空所が形成されると共に、前記ＬＥＤ取付手段により、前記ＬＥＤ光源が、該収容空所内に取り付けられていることを、特徴とする。
【００２８】
本態様に従う構造とされた二枚貝用開口器においては、作用部の対向面にＬＥＤ光源を配設したことによって、開口器を母貝に差し込んで開口せしめた状態において、作用部などが照明の影となることも無く、施術部位を有効に照明することが出来る。更に、収容空所を形成してかかる空所にＬＥＤ光源を取り付けたことによって、ＬＥＤ光源が開口器の開閉作動を阻害することも回避することが出来る。
【００２９】
（二枚貝用開口器に関する本考案の態様６）
二枚貝用開口器に関する本考案の態様６は、前記態様５に係る二枚貝用開口器において、前記凹所の一方に、前記ＬＥＤ光源を位置決め保持するホルダーを設けることによって前記ＬＥＤ取付手段を構成したことを、特徴とする。
【００３０】
本態様に従う構造とされた二枚貝用開口器においては、ホルダーが設けられた側の構造部材にＬＥＤ光源を位置せしめることによって、ＬＥＤ光源を安定して位置決めすることが出来て、所望する施術部位を容易に照明することが出来る。
【００３１】
（二枚貝用開口器に関する本考案の態様７）
二枚貝用開口器に関する本考案の態様７は、前記態様１乃至６の何れか一つに係る二枚貝用開口器において、前記ＬＥＤ光源として指向性を有するものを採用して、該ＬＥＤ光源を前記一対の構造部材における前記作用部側の対向面間に挟まれる位置に取り付けると共に、該ＬＥＤ光源の光軸の方向を前記開口器本体の側方に向かって延び出させたことを、特徴とする。
【００３２】
本態様に従う構造とされた二枚貝用開口器においては、母貝の施術部位をより有効に照明することが出来る。即ち、開口器は施術部位の正面からではなく、斜め方向から挿し込まれることが多く、施術部位は開口器の側方に位置することが多い。従って、ＬＥＤ光源の光軸方向が開口器の側方に向けられた本態様に従う構造とされた二枚貝用開口器を用いることによって、施術部位を有効に照明することが出来る。
【００３３】
（二枚貝用開口器に関する本考案の態様８）
二枚貝用開口器に関する本考案の態様８は、前記態様１乃至７の何れか一つに係る二枚貝用開口器において、前記ＬＥＤ光源として指向性を有するものを採用すると共に、前記ＬＥＤ取付手段において、該ＬＥＤ光源の光軸の方向を調節する調節手段を設けたことを、特徴とする。
【００３４】
本態様に従う構造とされた二枚貝用開口器においては、ＬＥＤ光源の光軸方向が調節可能とされていることによって、所望する部位をより正確に照明することが出来る。
【００３５】
（二枚貝用開口器に関する本考案の態様９）
二枚貝用開口器に関する本考案の態様９は、前記態様１乃至８の何れか一つに係る二枚貝用開口器において、前記開口器本体において、前記リード線が、前記支軸から一方の前記構造部材の前記把持部に沿って配設されており、該把持部の先端部から該開口器本体の外方に向かって延び出していることを、特徴とする。
【００３６】
本態様に従う構造とされた二枚貝用開口器においては、リード線を把持部に沿わせて配設したことによって、開口器の取り扱う際にリード線が邪魔になるようなことを可及的に回避することが出来る。
【００３７】
（二枚貝用開口器に関する本考案の態様１０）
二枚貝用開口器に関する本考案の態様１０は、前記態様９に係る二枚貝用開口器において、前記リード線には、前記把持部の先端部から延び出した部分において屈曲を緩衝的に制限する可撓性の保護カバーが装着されていることを、特徴とする。
【００３８】
本態様に従う構造とされた二枚貝用開口器においては、リード線の把持部の先端部から延び出した部分の屈曲に起因する折損や、把持部との磨耗による損傷を防ぐことが出来て、耐久性を向上せしめることが出来る。このような保護カバーとしては例えば、ゴムチューブや布性のチューブ等が好適に採用されるが、より簡易な構成としては、把持部から延び出した部分にテープを多重に巻回することによって保護カバーを構成する等しても良い。
【００３９】
（二枚貝用開口器に関する本考案の態様１１）
二枚貝用開口器に関する本考案の態様１１は、前記態様１乃至１０の何れか一つに係る二枚貝用開口器において、前記通電端子が接続される電源として、送電線に接続される変圧器と整流器を備え、該通電端子が接続されることによって前記ＬＥＤ光源に直流電力を給電する給電端子が設けられている給電ユニットを有することを、特徴とする。
【００４０】
本態様に従う構造とされた二枚貝用開口器においては、送電線からの電力をＬＥＤ光源に供給する給電ユニットを備えたことによって、ＬＥＤ光源に対して安定した電力の供給を行うことが出来る。即ち、本態様および後述する態様１２以外の態様において、電源は必ずしも考案の要件ではないが、本態様の如き特定構造を有する電源を構成として加えることによって、二枚貝用開口器自体に電源を備えると共に、安定した照明を行なうことが出来るのである。なお、このような給電ユニットとしては、家庭用電源からの交流電源を直流に変換すると共に、ＬＥＤ光源が使用する電圧にまで低減するＡＣ−ＤＣアダプタなどが好適に採用される。これにより、通常の家庭用電源のコンセントを用いて電力を得ることが出来る。
【００４１】
（二枚貝用開口器に関する本考案の態様１２）
二枚貝用開口器に関する本考案の態様１２は、前記態様１乃至１１の何れか一つに係る二枚貝用開口器において、前記通電端子が接続される電源として、電池を備え、該通電端子が接続されることによって前記ＬＥＤ光源に直流電力を給電する給電端子が設けられている電池ユニットを有することを、特徴とする。
【００４２】
本態様に従う構造とされた二枚貝用開口器においては、電源として電池を備えていることから、例えば送電線が届いていない離島などにおいても本考案に従う二枚貝用開口器を用いることが出来る。また、電源のサイズをコンパクトに抑えると共に、持ち運びを容易に行なうことが出来る。即ち、本態様および前述の態様１１以外の態様において、電源は必ずしも考案の要件ではないが、本態様の如き特定構造を有する電源を構成として加えることによって、電源を有しつつも持ち運びが容易な二枚貝用開口器を得ることが出来るのである。なお、本態様における電池としては、乾電池のみならず、充電池や太陽電池などでも良い。また、本態様と前述の態様１１を組み合わせて用いて、態様１１における給電ユニットを備えた電源に対して、予備電源として本態様における電池ユニットを設けること等も可能である。
【００４３】
（二枚貝用開口器に関する本考案の態様１３）
二枚貝用開口器に関する本考案の態様１３は、前記態様１乃至１２の何れか一つに係る二枚貝用開口器において、前記リード線の一方の端部に対する前記ＬＥＤ光源の取付部位における通電線の接続部分が、電気絶縁性のシール材で被覆されることによって、該通電線の全体が該シール材で覆われていることを、特徴とする。
【００４４】
本態様に従う構造とされた二枚貝用開口器においては、電気絶縁性のシール材によって、通電線を一切外部に露出しないことによって、ＬＥＤ光源と通電線の接続部分における防水構造を有利に実現することが出来る。ここにおいて、電気絶縁性のシール材としては例えば、シリコンなどの樹脂材料が好適に採用される。
【００４５】
（二枚貝用開口器に関する本考案の態様１４）
二枚貝用開口器に関する本考案の態様１４は、前記態様１乃至１３の何れか一つに係る二枚貝用開口器において、前記リード線の一方の端部に対する前記ＬＥＤ光源の取付部位における通電線の接続部分が、電気絶縁性の熱収縮チューブで被覆されることによって、該通電線の全体が該熱収縮チューブで覆われていることを、特徴とする。
【００４６】
本態様に従う構造とされた二枚貝用開口器においても、電気絶縁性の熱収縮チューブによって、通電線を一切外部に露出しないことによって、ＬＥＤ光源と通電線の接続部分の防水構造を有利に実現することが出来る。なお、熱収縮チューブとしては、チューブそれ自体が電気絶縁性の部材から形成されているもののみならず、例えば、内周面に電気絶縁性の接着剤が予め付着されているもの等も有効に用いることが出来る。また、前述の態様１３と共に本態様を適用することも可能であり、例えば、通電線の接続部分を電気絶縁性のシール材で被覆すると共に、かかるシール部材が被覆された部位を更に熱収縮チューブで被覆すること等も可能である。
【００４７】
（二枚貝用開口器に関する本考案の態様１５）
二枚貝用開口器に関する本考案の態様１５は、前記態様１乃至１４の何れか一つに係る二枚貝用開口器において、前記リード線の他方の端部には、その通電線に対して通電端子金具が接続されていると共に、該通電線と該通電端子金具との接続部位が樹脂材料でくるんで成形されていることを、特徴とする。
【００４８】
本態様に従う構造とされた二枚貝用開口器においては、リード線と通電端子金具との接続部位を樹脂材料でくるんで成形して、接続部位を一切外部に露出しないことによって、リード線と通電端子金具との接続部位の防水構造を有利に実現することが出来る。このような防水構造を得るためには、例えば、リード線の通電端子と通電端子金具をインサート品として金型内に装填し、その後、該金型の成形キャビティに溶融樹脂を充填して冷却固化することで、一体化した複合成形品を得るインサート成形などを好適に用いることが出来る。
【００４９】
（開口器用ＬＥＤ照明装置に関する本考案）
開口器用ＬＥＤ照明装置に関する本考案は、二枚貝用開口器に取り付けられる開口器用ＬＥＤ照明装置であって、可撓性を有する所定長さのリード線の一方の端部にはＬＥＤ光源が取り付けられていると共に、該リード線の他方の端部には所定の電源に対して着脱可能とされた通電端子が設けられており、該リード線への該ＬＥＤ光源の取付部位においては通電線の接続部分が防水構造とされていることを、特徴とする。
【００５０】
本態様に従う構造とされた開口器用ＬＥＤ照明装置は、施術者に従来から使用されている開口器に対して取り付けることが可能とされており、これにより、従来から用いられている開口器に施術部位を有効に照明する照明機能を付与することが可能となる。また、開口器の具体的な形状に関わらず取り付けることが可能であって、様々な形状の開口器に幅広く用いることが出来る。
【００５１】
なお、このような開口器用ＬＥＤ照明装置は、施術者に従来から使用されている開口器にテープ等を用いて貼り付けること等も可能であるが、より好適には、ＬＥＤ光源とリード線との接続部位に開口器本体への着脱を可能とする取付手段を設けた態様なども好ましい。このような取付手段としては例えば、ＬＥＤ光源の付近にクリップを設けた態様が好適に採用される。このようにすれば、クリップで開口器本体の適当な部位を挟むことによってＬＥＤ光源を開口器本体に取り付けることが出来て、従来から使用している開口器に対して本態様に従う構造とされた開口器用ＬＥＤ照明装置を容易に取り付けることが出来る。
【００５２】
（開口器用ＬＥＤ照明装置に関する本考案）
開口器用ＬＥＤ照明装置に関する本考案は、前記態様１乃至１５の何れか一つに記載の二枚貝用開口器に取り付けられた構成部品であり、前記リード線に対してその一方の端部に前記ＬＥＤ光源が取り付けられると共に他方の端部に前記通電端子が設けられてなる基本構造をもって形成されて、前記開口器本体に対して着脱可能とされたことを、特徴とする。
【００５３】
本態様に従う構造とされた開口器用ＬＥＤ照明装置においては、開口器本体に取り付けることによって、前述の態様１乃至１５に示した優れた効果を得ることが出来る。なお、本態様における開口器用ＬＥＤ照明装置は、前述の態様１に記載の如き構造の他、態様１乃至１５の何れに記載の構造であっても良い。
【考案の効果】
【００５４】
上述の説明から明らかなように、本考案に従う構造とされた二枚貝用開口器においては、施術部位を有効に照明することによって、挿核作業の作業性を向上せしめて、母貝のへい死率を低減すると共に、真珠の品質を向上せしめることも可能となるのである。
【考案を実施するための最良の形態】
【００５５】
以下、本考案を更に具体的に明らかにするために、本考案の実施形態について、図面を参照しつつ、詳細に説明する。
【００５６】
先ず、図１および図２に、本考案の一実施形態としての二枚貝用開口器である照明付開口器１０を示す。照明付開口器１０は、開口器本体１２に対して、開口器用ＬＥＤ照明装置としてのＬＥＤ照明装置１４が取り付けられて構成されている。なお、以下の説明において前後方向とは、図２における上下方向を言い、左右方向とは、図２における左右方向を言うものとする。また、図２においては、後述する電源プラグ１８および給電ユニット２０を省略して図示する。
【００５７】
ＬＥＤ照明装置１４は所定長さを有するリード線１５の一方の端部にＬＥＤ光源としてのＬＥＤ１６が設けられる一方、他方の端部に通電端子としての電源プラグ１８が設けられた構造とされている。そして、かかる電源プラグ１８が電源としての給電ユニット２０に接続されることによって、ＬＥＤ１６に対する給電が行なわれるようになっている。このように、本実施形態においては、ＬＥＤ１６に電力を供給する給電ユニット２０を含んで照明付開口器１０が構成されており、照明付開口器１０は、照明用の電源を備えた二枚貝用開口器とされている。
【００５８】
より詳細には、開口器本体１２は、挿核施術用器具として従来から用いられている公知の開口器と略同様の構造とされており、構造部材としての一対の可動部材２２ａ，２２ｂが、その長手方向略中央部分において、支軸２４によって連結されて構成されている。
【００５９】
可動部材２２ａ、２２ｂは互いに略同様の構造とされており、前後方向に延びる長細状の胴部２５の一方（前方）の端部に、平板状の作用部２６が形成されていると共に、作用部２６と反対側（後方）の端部には、側面視において開口器本体１２の外方に向かって円弧状に延びる把持部２８が形成されている。また、胴部２５は、支軸２４が位置する部位においてその内面が僅かに屈曲せしめられており、作用部２６，２６が当接した状態において、互いの把持部２８，２８が離隔するような形状とされていると共に、その外面は略平坦な面とされている。
【００６０】
さらに、把持部２８の後方端部の内面には、バネ取付部３０が一体的に突出形成されており、かかるバネ取付部３０に貫設された挿通孔に対して、互いの可動部材２２ａ，２２ｂの把持部２８，２８を離隔する方向に付勢する付勢バネ３２が取り付けられている。これにより、把持部２８，２８を操作しない状態においては、作用部２６，２６が当接状態に維持される。そして、把持部２８，２８を付勢バネ３２の付勢力に抗して握ることによって、作用部２６，２６が離隔して開口せしめられるようになっている。
【００６１】
また、胴部２５の外面における支軸２４と把持部２８との間には、左右方向に延びる複数条の係止溝３４が刻設されていると共に、係止溝３４が形成された部位には、矩形リング状の保持金具３６が外挿されている。これにより、把持部２８，２８を握って作用部２６，２６を開口せしめた状態で、保持金具３６を係止溝３４に係止せしめることによって、付勢バネ３２による可動部材２２ａ，２２ｂの離隔方向変位が保持金具３６によって制限されて、作用部２６，２６の開口状態を維持することが出来るようになっている。このように、本実施形態においては、係止溝３４および保持金具３６によって、保持手段が構成されている。
【００６２】
なお、胴部２５の後方端部にあたる内面には、僅かに開口器本体１２の内方に突出する当接部３８，３８が形成されている。これにより、互いの当接部３８、３８が当接することによって把持部２８，２８の接近方向の変位量が制限されると共に、互いの胴部２５，２５の全体が当接することのないようにされている。
【００６３】
一方、ＬＥＤ照明装置１４は、リード線１５の一方の端部にＬＥＤ１６が設けられると共に、他方の端部に電源プラグ１８が設けられた構造とされている。
【００６４】
より詳細には、リード線１５は、絶縁シール層４１ａ，４１ｂによって被覆された一対の通電線４２ａ，４２ｂ（図４参照）が内部に挿通されると共に、容易に変形し得る可撓性を有した構造とされている。なお、かかるリード線１５の長さ寸法としては、０．５ｍ〜２. ０ｍの範囲内で設定されることが望ましく、本実施形態においては、略１ｍ程度の長さ寸法とされている。また、本実施形態におけるＬＥＤ照明装置１４は、光源として消費電力の小さいＬＥＤを採用していることから、リード線１５の太さ寸法を小さく抑えて、より高い可撓性を得ることが可能とされている。
【００６５】
そして、かかるリード線１５の一方の端部に、ＬＥＤ１６が取り付けられている。ＬＥＤ１６は、本実施形態においては指向性を有するＬＥＤが採用されており、その光軸が、ＬＥＤ１６の接続端子４０ａ，４０ｂ（図４参照）が延び出される方向と反対方向の直線方向（図２中、Ｌ）に延びるようにされている。なお、ＬＥＤの発光色としては特に限定されるものではなく、白色、赤色、蛍光色、その他の適当な色が適宜に採用可能である。例えば、白色を用いることによって眼の疲れが軽減され得るし、蛍光色を用いることによって母貝の内部が有効に照明され得る。
【００６６】
また、ＬＥＤ１６は、図３および図４に示すように、その接続端子４０ａ，４０ｂがリード線１５の内部の通電線４２ａ，４２ｂに接続されることで物理的に接続されると共に電気的に接続されて、電力が供給されるようになっている。
【００６７】
ここにおいて、本実施形態においては、ＬＥＤ１６の接続端子４０ａ，４０ｂとリード線１５の通電線４２ａ，４２ｂとの接続部位は、電気絶縁性の熱収縮チューブとしてのゴムチューブ４４が外挿されて熱収縮せしめられることによって被覆されている。更に、ＬＥＤ１６の底面が、ゴムチューブ４４の端部と共に電気絶縁性のシール材としてのシリコン４６が吹き付けられることによって被覆されている。これにより、本実施形態においては、ＬＥＤ１６の接続端子４０ａ，４０ｂとの接続部位を含むリード線１５の通電線４２ａ，４２ｂの全体がゴムチューブ４４およびシリコン４６によって被覆されて、外部に一切露出しないようにされており、ＬＥＤ１６とリード線１５との取付部位において通電線４２ａ，４２ｂの接続部位が防水構造とされている。
【００６８】
一方、リード線１５におけるＬＥＤ１６が設けられた端部と反対側の端部には、電源プラグ１８が設けられている。電源プラグ１８は、図５に示すように、リード線１５が通電端子金具としての雄金具４８に接続されると共に、かかる接続部位が樹脂材料でくるんで成形されることによって、リード線１５と雄金具４８が一体的に構成されている。
【００６９】
このような電源プラグ１８は、例えば図６に示すようなインサート成形を用いて容易に得ることが出来る。先ず、雄金具４８の接続端子５０ａ，５０ｂにリード線１５の通電線４２ａ，４２ｂを半田などで接続することによってインサート品を形成する。そして、かかるインサート品としてのリード線１５が接続された雄金具４８を電源プラグ１８の成形キャビティ５２を有する金型５４ａに装填して、対向する金型５４ｂ（図示せず）を重ね合わせた後に、金型５４ａ，５４ｂによって形成される成形キャビティ５２内に連通孔５６を通して溶融樹脂を充填して冷却固化することによって、一体化した複合成形品としての電源プラグ１８を容易に得ることが出来る。
【００７０】
そして、上述の如きインサート成形を用いることによって、リード線１５の通電線４２ａ，４２ｂと雄金具４８の接続端子５０ａ，５０ｂとの接続部位を樹脂材料で被覆することが出来て、外部に露出しないようにすることが出来る。これにより、本実施形態におけるＬＥＤ照明装置１４においては、リード線１５と通電端子金具としての雄金具４８との接続部分についても防水構造とされている。
【００７１】
以上のようにして、ＬＥＤ１６と電源プラグ１８がリード線１５を介して物理的および電気的に接続されており、ＬＥＤ１６への給電が可能とされている。
【００７２】
そして、このような構造とされたＬＥＤ照明装置１４が、開口器本体１２に対して着脱可能に取り付けられるようになっている。
【００７３】
具体的には、図７および図８に示すように、可動部材２２ａ，２２ｂにおける支軸２４と作用部２６の間の対向面には、可動部材２２ａ，２２ｂの全幅に亘る一対の凹所５８ａ，５８ｂが形成されている。そして、これら凹所５８ａ，５８ｂの対向面間に、収容空所としてのＬＥＤ収容空所６０が形成されている。なお、図８は、可動部材２２ｂを取り外した状態の可動部材２２ａの内側面を示す。
【００７４】
そして、ＬＥＤ収容空所６０を形成する凹所５８ａには、ＬＥＤ１６を位置決め保持するホルダーとしての板金具６２が取り付けられている。板金具６２は、凹所５８ａの幅寸法より僅かに小さい幅寸法を有する略平板形状とされており、凹所５８ｂに入り込むように僅かに湾曲せしめられた形状とされている。そして、板金具６２の後側端部には、下方に突出する差込板部６３が形成されており、かかる差込板部６３が可動部材２２ａの凹所５８ａの後方に形成された溝部に嵌め込まれることによって、板金具６２が可動部材２２ａに取り付けられるようになっている。また、板金具６２の後方端部には、側方（本実施形態においては左側）に突出するツマミ部６５が一体的に形成されている。これにより、板金具６２を可動部材２２ａから取り外す際には、ツマミ部６５を摘んで取り外すことが出来るようになっている。
【００７５】
そして、凹所５８ａと板金具６２の対向面でＬＥＤ照明装置１４のＬＥＤ１６が挟持されることによって、ＬＥＤ１６がＬＥＤ収容空所６０内に配設されるようになっている。ここにおいて、ＬＥＤ１６は、その先端部分が開口器本体１２の外方に突出しないように位置決めされている。このように、本実施形態においては、ＬＥＤ収容空所６０、凹所５８ａおよび板金具６２を含んで、ＬＥＤ取付手段が構成されている。
【００７６】
また、本実施形態においては、図２に示すように、ＬＥＤ１６はその光軸方向（図２中、Ｌ）が開口器本体１２の前後方向から所定角度：αだけ傾斜せしめられて取り付けられており、開口器本体１２の側方に向かって延びだされている。なお、かかる角度：αは１０°〜９０°の範囲内で設定されることが望ましく、より好適には、２０°〜７０°の値が採用される。本実施形態においては、傾斜角：αは３０°に設定されている。
【００７７】
かかるＬＥＤ１６の光軸方向の傾斜角：αは容易に変更することが可能である。即ち、光軸方向を変更する際には、ＬＥＤ１６を挟持する板金具６２を可動部材２２ａから取り外して、ＬＥＤ１６の光軸方向を所望の位置に調節した後に、再び板金具６２を取り付けてＬＥＤ１６を挟持することによって、容易に調節することが可能である。このように、本実施形態においては、板金具６２を含んで、光軸方向を調節する調節手段が構成されている。
【００７８】
また、可動部材２２ａ側の把持部２８の内周面には、複数の係止支持部６４、６４が突出形成されており、特に本実施形態においては、把持部２８の前後方向の両端部付近にそれぞれ形成されている。図９に示すように、係止支持部６４は、把持部２８の内周面から内方に突出せしめられると共に、その突出端部において把持部２８側に屈曲せしめられたＵ字状部６６を備えた形状とされており、幅方向一方に開口する開口部６７を有している。なお、特に本実施形態においては、係止支持部６４、６４は、把持部２８の幅方向におけるやや右寄りの位置に形成されており、開口部６７が把持部２８の幅方向の内側に向かって開口せしめられている。
【００７９】
そして、ＬＥＤ照明装置１４のリード線１５が、係止支持部６４の開口部６７に挿し込まれてＵ字状部６６に嵌め入れられることによって、リード線１５が、開口器本体１２に取り付けられて、可動部材２２ａの把持部２８に沿って配設されるようになっている。
【００８０】
ここにおいて、リード線１５は、把持部２８の後端部から開口器本体１２の外方に向かって延び出されている。そして、リード線１５の把持部２８の後端部に位置する部位には、保護カバーとしてのゴムチューブからなるゴムカバー６８が外挿されている。ゴムカバー６８は、リード線１５よりも小さな可撓性を有しており、これにより、リード線１５の把持部２８の後端部における屈曲を緩衝的に制限して、リード線１５が把持部２８で折り曲げられて折損したり、把持部２８の端部と擦れ合うことに起因する損傷を回避するようにされている。
【００８１】
以上のようにして、本実施形態における照明付開口器１０においては、ＬＥＤ照明装置１４のＬＥＤ１６が、ＬＥＤ収容空所６０に設けられた板金具６２によって取り付けられると共に、リード線１５が係止支持部６４，６４によって取り付けられることによって、ＬＥＤ照明装置１４が開口器本体１２に取り付けられるようになっている。
【００８２】
なお、ＬＥＤ照明装置１４を開口器本体１２から取り外す際には、ＬＥＤ収容空所６０の板金具６２を取り外してＬＥＤ１６を開口器本体１２から取り出すと共に、リード線１５を係止支持部６４の開口部６７から取り出すことによって、開口器本体１２から取り外す事が出来る。このように、本実施形態におけるＬＥＤ照明装置１４は、開口器本体１２に対して容易に着脱することが可能とされている。
【００８３】
そして、特に本実施形態における照明付開口器１０は、給電ユニット２０を含んで構成されており、ＬＥＤ照明装置１４の電源プラグ１８が、給電ユニット２０に対して着脱可能とされている。
【００８４】
給電ユニット２０は、詳細な図示は省略するが、本実施形態においては、内部に従来公知の変圧器と整流器を備える一方、これら変圧器および整流器と電気的に接続されたコンセントプラグ７０が外部に延び出されている。また、給電ユニット２０には、ＬＥＤ照明装置１４の電源プラグ１８を接続するための給電端子としての電源ジャック７２、および電源ジャック７２への通電および遮断を切り換えるための電源スイッチ７６が設けられている。
【００８５】
そして、コンセントプラグ７０が家庭用電源であるコンセント７４に差し込まれることによって、給電ユニット２０に内蔵された変圧器と整流器が、送電線に接続されるようになっている。そして、これら変圧器と整流器によって、家庭用の交流電力を、ＬＥＤ１６を使用するのに適した電圧の直流電力に変換するようにされている。
【００８６】
このような構造とされた給電ユニット２０の電源ジャック７２に対して、ＬＥＤ照明装置１４における電源プラグ１８の雄金具４８が差し込まれて、電源スイッチ７６が操作されることによって、ＬＥＤ１６に対する給電が行なわれるようになっている。ここにおいて、本実施形態における給電ユニット２０は家庭用電源を用いていることから、安定した電力の供給を行なうことが可能となって、電池のように消耗を気にすることも無く、電池交換の手間等も省くことが出来るのである。
【００８７】
以上のように、本実施形態における照明付開口器１０は、ＬＥＤ照明装置１４を備えると共に、ＬＥＤ１６への給電を行なう給電ユニット２０を備えて構成されている。
【００８８】
そして、図１０および図１１に示すように、挿核施術を行なう際には、図示しない貝台にセットされた母貝８０に対して、開口器本体１２の作用部２６、２６を挿し込み、把持部２８、２８を握って互いの作用部２６、２６を離隔せしめることによって、母貝８０を開口せしめる。
【００８９】
このように母貝８０を開口せしめた状態において、本実施形態における照明付開口器１０は、ＬＥＤ１６を点灯せしめることによって、施術部位８１を明るく照明することが出来る。これにより、施術部位８１の切開や、挿核器８２に保持された核８４を母貝８０の内部へ送り込む等の作業を容易に行なうことが出来る。
【００９０】
ここにおいて、特に本実施形態においては、ＬＥＤ１６の光軸方向が開口器本体１２の側方にやや傾斜せしめられていることから、ＬＥＤ１６の光軸方向を母貝８０の内部に向けることが出来て、施術部位８１をより有効に照明することが出来るようにされている。更に、ＬＥＤ１６が作用部２６，２６の対向面間に挟まれる位置に配設されていることによって、開口器本体１２の可動部材２２ａ，２２ｂが影になるようなことも防止されている。加えて、ＬＥＤ１６の先端部分が開口器本体１２から大きく突出していないことによって、ＬＥＤ１６が母貝８０の内部に接触してＬＥＤ１６や母貝８０を傷つけたり、手や他の物への干渉によってＬＥＤ１６の光軸方向が変化せしめられたりするような不具合も回避することが可能とされているのである。また、特に本実施形態においては、給電ユニット２０に電源スイッチ７６を設けていることから、必要な場合にのみＬＥＤ１６を点灯せしめることも可能とされている。
【００９１】
さらに、本実施形態におけるＬＥＤ照明装置１４は、ＬＥＤ１６とリード線１５との取付部位がゴムチューブ４４やシリコン４６を用いた防水構造とされている。これにより、施術部位の近くに位置して有効な照明効果が得られるにも関わらず、水に濡れやすいことからＬＥＤ等の電子部品の配設が困難であった作用部２６に近接した位置にＬＥＤ１６を配設することが可能となって、有効な照明効果を発揮することが可能とされるのである。
【００９２】
また、ＬＥＤ１６とリード線１５との取付部位と共に、リード線１５と電源プラグ１８における雄金具４８との接続部分も防水構造とされていることによって、ＬＥＤ照明装置１４はその全体が防水構造とされている。これにより、電源プラグ１８を給電ユニット２０から取り外して、ＬＥＤ照明装置１４を取り付けたままの状態で開口器本体１２の全体を洗浄することも可能とされている。
【００９３】
さらに、本実施形態においては、開口器本体１２から、ＬＥＤ照明装置１４が容易に取り外し可能とされている。これにより、照明が不要な場合にはＬＥＤ照明装置１４を取り外して、開口器本体１２の単体を従来通りの開口器として用いることも出来る。また、例えばＬＥＤ１６が破損したり、リード線１５が損傷する等によってＬＥＤ照明装置１４が故障した場合には、ＬＥＤ照明装置１４のみを交換することが可能とされており、ＬＥＤ照明装置１４は上述の如き安価な構造を有することから、優れたコスト効率を実現することも出来るのである。
【００９４】
以上、本考案の一実施形態について詳述してきたが、これはあくまでも例示であって、本考案は、かかる実施形態における具体的な記載によって、何等、限定的に解釈されるものではない。
【００９５】
例えば、ＬＥＤ光源を開口器本体に取り付けるＬＥＤ取付手段としては、図１２に示すように、略平板形状とされると共に、その前側部分が凹所５８ｂに入り込む形状とされた開閉板金具８５の後方端部を、開口器本体１２の支軸２４に回動可能に連結することによって構成するなどしても良い。このようにすれば、開閉板金具８５を凹所５８ａに対して開閉可能にすることが出来て、開閉板金具８５を閉じることによってＬＥＤ１６を開閉板金具８５と凹所５８ａとの間で挟持することが出来る。なお、このような態様においては、かかる開閉板金具８５の回動には適度な摺動抵抗が付与されて、開口器本体１２の開閉につられて開閉しないようにされていることが望ましい。
【００９６】
また、ＬＥＤ取付手段の更に異なる態様として、図１３に示すように、開口器本体１２の支軸２４に取り付けられた取付ブラケットとしての取付金具８６を用いてＬＥＤ１６を開口器本体１２に取り付けること等も可能である。
【００９７】
取付金具８６は、図１４に示すように、ＬＥＤ１６を挿入可能な円筒部８７と、円筒部８７の端縁部から延び出して略円環板状に広がる環状部８８が一体的に形成された構造とされている。また、円筒部８７と環状部８８との接続部位には、適当な角度をもって屈曲せしめられた屈曲部８９が形成されている。
【００９８】
このような構造とされた取付金具８６は、開口器本体１２の支軸２４に対して取り付けられている。そして、取付金具８６の円筒部８７に対して、ＬＥＤ１６が開口器本体１２側から外側に向かって挿し入れられることによって、ＬＥＤ１６が開口器本体１２に取り付けられるようになっている。
【００９９】
ここにおいて、取付金具８６には屈曲部８９が形成されていることによって、円筒部８７はその軸方向が開口器本体１２の側方に向けて取り付けられている。そして、かかる円筒部８７にＬＥＤ１６が挿し込まれることによって、ＬＥＤ１６の光軸方向が開口器本体１２の側方に向けて取り付けられるようになっている。なお、取付金具８６をアルミニウム等によって形成して、屈曲部８９の屈曲角度を容易に変形可能とすることによって、ＬＥＤ１６の光軸方向を調節する調節手段を構成することなども可能である。
【０１００】
このような態様によれば、ＬＥＤ１６を円筒部８７に挿し込むことによって、開口器本体１２にＬＥＤ１６を容易に取り付けることが出来る。また、特に本態様においては、ＬＥＤ１６が取付金具８６によって開口器本体１２の支軸２４に対して取り付けられていることから、開口器本体１２を開口せしめるに際して回動変位せしめられる可動部材２２ａ，２２ｂに取り付ける場合に比べてＬＥＤ１６の位置変化が小さい。また、可動部材２２ａ，２２ｂに取り付ける場合に比べて、可動部材２２ａ，２２ｂによる影の影響をより軽減することも出来る。
【０１０１】
また、ＬＥＤ取付手段は必ずしも開口器本体側に設けられている必要はなく、ＬＥＤ照明装置側に設けることも可能である。例えば、ＬＥＤ１６に近接した部位にクリップ等を設けて、可動部材２２ａ、２２ｂの何れかをかかるクリップで挟むことによってＬＥＤ１６を開口器本体１２に取り付けること等も可能である。
【０１０２】
さらに、ＬＥＤ光源を開口器本体に取り付けるＬＥＤ取付手段は、前述の如き特別な金具などを設けることなく構成することも可能であって、例えば、図１５に示すように、リード線１５におけるＬＥＤ１６との接続部位の付近を、針金９０等を用いて可動部材２２ａ、２２ｂの何れかに括り付けたりする等しても良い。そして、ＬＥＤ１６を可動部材２２ａ乃至は２２ｂに括り付ける際にその光軸方向を調節することによって、かかる針金９０によって光軸方向の調節手段を構成すること等も可能である。また、針金の他に、粘着テープなどを用いてＬＥＤ１６を開口器本体１２に貼り付けるなどしても良い。
【０１０３】
また、リード線１５を可動部材２２ａの把持部２８に沿って配設せしめる係止支持部６４の異なる態様として、図１６に示す如き係止支持部９１を採用すること等も可能である。係止支持部９１は、把持部２８の内面から突出せしめられて、その突出端部にＣ字状部９２が形成されている。そして、Ｃ字状部９２の内径寸法および周方向の一部に設けられた開口部９３の開口寸法がリード線１５の外径寸法よりも大きくされており、リード線１５を開口部９３から挿し入れることによって、リード線１５を保持することが可能とされている。
【０１０４】
更にまた、ＬＥＤ光源に電力を供給するための電源は、必ずしも本考案における二枚貝用開口器に必須の構成ではないが、このような電源は、必ずしも前述の如き送電線に接続されるものに限定されない。例えば、図１７に示す如き、電池ユニット９４を電源として用いることも可能である。電池ユニット９４は、電池９６，９６を備えると共に、給電端子としての電源ジャック９８および電源スイッチ１００を備えている。そして、電源ジャック９８にＬＥＤ照明装置１４の電源プラグ１８を差し込んで、スイッチ１００を操作することによって、ＬＥＤ１６を点灯および消灯せしめることが可能とされている。このような電池ユニット９４によれば、送電線が届いていない離島などにおいても、本考案に従う二枚貝用開口器を用いることが出来ると共に、持ち運びを容易にすることが出来る。なお、電池９６，９６としては、市販の乾電池や充電池が好適に採用される。
【０１０５】
また、電池ユニット９４の更に異なる態様として、電池９６，９６の代わりに太陽電池を用いることなども可能である。
【０１０６】
また、電源の更に異なる態様としては、例えば、図１８に示すように、一般の電気製品に広く用いられて、家庭用のコンセントに差し込まれる従来公知のＡＣ−ＤＣアダプタ１０２のジャック１０４を給電端子としてＬＥＤ照明装置１４の電源プラグ１８と接続すること等も可能である。
【０１０７】
また、上述の実施形態においては、通電端子としては電源プラグ１８と電源ジャック７２との接続構造とされていたが、その他の態様として例えば、ワニクリップやバナナプラグ、プッシュターミナル、スクリューターミナル、コネクタ接続式など、従来から公知の簡易的な各種通電線の端部接続構造を採用することなども可能であるし、更には、単に通電線の露出部分を半田で固めるなどでも良い。
【０１０８】
更にまた、ＬＥＤ１６の取付部位や雄金具４８の取付部位における防水構造としては各種の態様が採用可能である。例えば、前述の実施形態における電源プラグ１８は、必ずしもインサート成形によって一体的に形成する必要はなく、雄金具４８とリード線１５との接続部位を、ＬＥＤ１６の接続部位と同様に、ゴムチューブ４４やシリコン４６で被覆するなどしても良い。また、ＬＥＤ１６の取付部位を、前述の実施形態における電源プラグ１８と同様のインサート成形を用いて一体的に形成する等しても良い。
【０１０９】
その他、一々列挙はしないが、本考案は、当業者の知識に基づいて種々なる変更，修正，改良等を加えた態様において実施され得るものであり、また、そのような実施態様が、本考案の趣旨を逸脱しない限り、何れも、本考案の範囲内に含まれるものであることは、言うまでもない。
【図面の簡単な説明】
【０１１０】
【図１】本考案の一実施形態としての二枚貝用開口器を示す説明図である。
【図２】図１に示した二枚貝用開口器の開口器本体を示す上面図である。
【図３】図１に示した二枚貝用開口器におけるＬＥＤ光源とリード線との接続部分を示す説明図である。
【図４】図３に示したＬＥＤ光源の接続端子とリード線の通電線との接続部分を示す説明図である。
【図５】図１に示した二枚貝用開口器における通電端子を示す側面図である。
【図６】図５に示した通電端子の製造方法を説明するための説明図である。
【図７】図１に示した二枚貝用開口器におけるＬＥＤ取付手段を説明するための側面図である。
【図８】図７に示したＬＥＤ取付手段を説明するための説明図である。
【図９】図１に示した二枚貝用開口器におけるリード線の取付手段を説明するための説明図である。
【図１０】図１に示した二枚貝用開口器を用いた挿核施術を説明するための説明図である。
【図１１】図１に示した二枚貝用開口器を用いた挿核施術を説明するための説明図である。
【図１２】ＬＥＤ取付手段の異なる態様を示す側面図である。
【図１３】ＬＥＤ取付手段の更に異なる態様を示す上面図である。
【図１４】図１３に示したＬＥＤ取付手段に用いられる取付金具を示す斜視図である。
【図１５】ＬＥＤ取付手段の更に異なる態様を示す上面図である。
【図１６】リード線の取付手段の更に異なる態様を説明するための説明図である。
【図１７】本考案の電池ユニットを示す斜視図である。
【図１８】本考案の給電ユニットの異なる態様を示す斜視図である。
【符号の説明】
【０１１１】
１０  照明付開口器
１２  開口器本体
１４  ＬＥＤ照明装置
１６  ＬＥＤ
１８  電源プラグ
２０  給電ユニット
２６  作用部
２８  把持部
３６  保持金具
４４  ゴムチューブ
４６  シリコン
６０  ＬＥＤ収容空所
６２  板金具
６５  ツマミ部
７０  コンセントプラグ
７２  電源ジャック
７４  コンセント
７６  電源スイッチ
【図１】
0003116529.tif 000003
【図２】
0003116529.tif 000004
【図３】
0003116529.tif 000005
【図４】
0003116529.tif 000006
【図５】
0003116529.tif 000007
【図６】
0003116529.tif 000008
【図７】
0003116529.tif 000009
【図８】
0003116529.tif 000010
【図９】
0003116529.tif 000011
【図１０】
0003116529.tif 000012
【図１１】
0003116529.tif 000013
【図１２】
0003116529.tif 000014
【図１３】
0003116529.tif 000015
【図１４】
0003116529.tif 000016
【図１５】
0003116529.tif 000017
【図１６】
0003116529.tif 000018
【図１７】
0003116529.tif 000019
【図１８】
0003116529.tif 000020